(57)【特許請求の範囲】
【請求項１】
キャビネット内に設けられた加熱室と、
前記加熱室の開口部周縁に取付けられた前板と、
前記前板の外周縁に前記キャビネット内側方向に折り曲げられ前記前板の左右側部に形成された横フランジと、
前記横フランジに形成された係止体と、
前記加熱室の上面及び左右側面を覆う断面が略コの字状のカバーと、
前記カバーに形成され前記横フランジを挟み付ける横フランジ挟み付け用の爪と、を備え、
前記係止体は、横フランジ挟み付け用の前記爪が垂直方向に移動することを拘束するように前記爪の上に配置され、前記係止体と前記爪が接触し、前記係止体が前記爪を垂直方向に固定していることを特徴とする高周波加熱装置。
【請求項２】
前記係止体は、端面が丸みを帯びた形状をしていることを特徴とする請求項１記載の高周波加熱装置。
【発明の詳細な説明】
【技術分野】
【０００１】
本発明は、電子レンジ等の高周波加熱装置のキャビネットの構造に関するものである。
【背景技術】
【０００２】
従来、電子レンジ等の高周波加熱装置は、図２に示すように、加熱室と、その加熱室の開口部周縁の前板と、加熱室の後方の後板と、加熱室の上面及び左右側面を覆うカバーと、底板から構成される。前板と後板は底板上に立設され、カバーは前板及び後板に固定される。カバーを前板及び後板に固定する場合、一枚の金属板の前縁を折り返して形成したカバーの爪を前板の外周縁を内側に折曲して形成された前板のフランジに挟み付けることによって、前板に係合し、カバー後縁を内側に折曲して形成されたフランジを後板にネジ止めしている。
【０００３】
例えば、カバーを後板に固定する場合のネジ止め作業を省き、後板に設けた係止片にカバーの爪を嵌合して固定しているものもある。（例えば、特許文献１参照）。
【０００４】
また、前板及び後板の外周縁が湾曲した形状とされている場合、前後縁の爪と折曲体の構造を変更することで、湾曲面を有するキャビネット構造に対応しているものもある。（例えば、特許文献２参照）。
【先行技術文献】
【特許文献】
【０００５】
【特許文献１】実開昭５６−１３６５１１号公報
【特許文献２】特開昭２００２−１３０６８８号公報
【発明の概要】
【発明が解決しようとする課題】
【０００６】
しかしながら、従来の高周波加熱装置のカバーの取付け方法では、カバー前縁に設けられた爪と前板のフランジの挟み付けと、後板とのネジ止めによって固定されているため、カバー全縁と前板のフランジの間にある隙間によってカバー前面が垂直方向に自由度をもった構成になっている。そのため、持ち運びの際にカバー前面が垂直方向に動いてしまい、前板とカバーの間の隙間が変化するという課題があった。
【０００７】
また、前板のフランジは板厚分の強度しかないため変形しやすく、前板のフランジが変形した状態でカバーを取付けると、カバーが斜めに取り付いてしまうという課題を有していた。底板にリブを設けて、カバーの外周縁を内側に折曲して形成したフランジで垂直方向への移動を拘束する場合、カバーに設けたフランジは板厚分の強度しかないため、強度が弱く、荷重がかかるとカバーが変形してしまうという課題を有していた。
【０００８】
本発明は、前記従来の課題を解決するもので、前板の外周縁の形状とカバー前縁の爪の構造を変更して、カバー前面の垂直方向の移動を拘束可能な高周波加熱装置を提供することを目的とする。
【課題を解決するための手段】
【０００９】
前記従来の課題を解決するために、本発明の高周波加熱装置は、キャビネット内に設けられた加熱室と、前記加熱室の開口部周縁に取付けられた前板と、前記前板の外周縁に前記キャビネット内側方向に折り曲げられ前記前板の左右側部に形成された横フランジと、前記横フランジに形成された係止体と、前記加熱室の上面及び左右側面を覆う断面が略コの字状のカバーと、前記カバーに形成され前記横フランジを挟み付ける横フランジ挟み付け用の爪と、を備え、前記係止体は、横フランジ挟み付け用の前記爪が垂直方向に移動することを拘束するように前記爪の上に配置され、前記係止体と前記爪が接触し、前記係止体が前記爪を垂直方向に固定していることを特徴としたものである。
【００１０】
これによって、使用者が持ち運びの際、垂直方向への力を加えた場合でも、前板の前面に設けた係止体でカバーの爪部を固定することで、カバー前面の垂直方向への移動を防止することができ、前板とカバーの間の隙間の変化を防止するができる。
【００１１】
前板のフランジが変形した状態でカバー前縁に設けた爪を前板のフランジに挟み付ける場合、カバーの爪部が前板の前面に設けた係止体でカバーの爪部で固定されるため、前板のフランジが矯正され、カバーが前板に対して斜めに取付けられることを防止することができる。
【００１２】
また、カバー前縁に設けた爪の前板のフランジへの挟みこみが不十分だった場合、カバーの爪部が前板の前面に設けた係止体でカバーの爪部で固定されるため、前板のフランジが矯正され、カバーが前板に対して斜めに取付けられることを防止することができる。
【００１３】
カバー前縁に設けた爪を前板のフランジへ挟みこむ際、前板の前面に設けた係止体の形状は丸みを帯びた形状をしているため、挟み込みの際に抵抗が少なく、取付け作業が容易になるため、作業効率を向上させることができる。
【発明の効果】
【００１４】
本発明によれば、カバー前面の垂直方向への移動を防止することができるとともに、前板のフランジの変形や挟みこみ不十分によって、カバーが前板に対して斜めに取り付くことを防止でき、外観品質の高い高周波加熱装置を提供することができる。
【図面の簡単な説明】
【００１５】
【図１】本発明の第１の実施の形態における電子レンジの分解斜視図
【図２】本発明の第１の実施の形態及び従来の電子レンジにおいてドアを外した状態の電子レンジの斜視図
【図３】本発明の第１の実施の形態における電子レンジのカバーの側面図
【図４】同実施の形態における電子レンジの前板の側面図
【図５】同実施の形態における電子レンジのカバーを前板に取付けた状態を示す側面図
【図６】図５のＡ−Ａ断面図
【図７】同実施の形態における電子レンジの係止体の拡大図
【発明を実施するための形態】
【００１６】
第１の発明は、キャビネット内に設けられた加熱室と、前記加熱室の開口部周縁に取付けられた前板と、前記前板の外周縁に前記キャビネット内側方向に折り曲げられ前記前板の左右側部に形成された横フランジと、前記横フランジに形成された係止体と、前記加熱室の上面及び左右側面を覆う断面が略コの字状のカバーと、前記カバーに形成され前記横フランジを挟み付ける横フランジ挟み付け用の爪と、を備え、前記係止体は、横フランジ挟み付け用の前記爪が垂直方向に移動することを拘束するように前記爪の上に配置され、前記係止体と前記爪が接触し、前記係止体が前記爪を垂直方向に固定していることにより、カバー前面の垂直方向への移動を防止することができるとともに、前板のフランジの変形や挟みこみ不十分によって、カバーが前板に対して斜めに取り付くことを防止できる。
【００１７】
第２の発明は、特に第１の発明において、係止体は、端面が丸みを帯びた形状をしているため、挟み込む際に抵抗が少なく、取付け作業が用意になるため、作業効率を向上させることができる。
【００１８】
以下、本発明の実施の形態について、図面を参照しながら説明する。なお、この実施の形態によって本発明が限定されるものではない。
【００１９】
（実施の形態１）
図１は本発明の第１の実施の形態における電子レンジ（高周波加熱装置）の分解斜視図、図２は電子レンジの斜視図、図３はカバー１の側面図、図４は前板４の側面図である。
【００２０】
同図において、本実施の形態の電子レンジ（高周波加熱装置）は、キャビネット２は、加熱室３の開口部周縁に取付けられた前板４と、加熱室３の後方に配された後板５と、底板６と、加熱室３の上面及び左右側面を覆うカバー１とから構成されている。前板４の外周縁は内側に折り曲げられ、前板４の上、下部にはそれぞれ上フランジ７、下フランジ８、左右側部には横フランジ９が形成されている。また、後板５も前板４と同様に、上フランジ７、下フランジ８、横フランジ９が形成されている。
【００２１】
カバー１は、一枚の平板を略コの字状に折り曲げて形成され、前側に前板４の上フランジ７を挟み付けるための上フランジ挟み付け用の爪１０が形成され、さらに左右の横フランジ９を挟み付けるための横フランジ挟み付け用の爪１１が形成されている。前板４の左右側部にはカバー１の爪１１を垂直方向に固定する係止体３０が形成されている。
【００２２】
次に、キャビネット２の組立てについて説明する。加熱室３に固定された前板４及び後板５の下フランジ８を底板６にネジ２０で固定し、前板４及び後板５を立設する。そして、略コの字状に型付け成形したカバー１を用意し、カバー１の下折曲体１２を底板６の下面に沿わせて、カバー１を前方にスライドさせていく。
【００２３】
前板４の上フランジ７がカバー１上部に形成された爪１０によって挟み込まれて係合され、同時に横フランジ９がカバー１左右側部に形成された爪１１に挟み込まれて係合される。このとき、図５、図６に示すように横フランジ９に形成されている係止体３０が爪１１の上に配置されるため、係止体３０が爪１１の垂直方向の移動を拘束する。この後、カバー１の上折曲体１３及び横折曲体１４が後板５に当接するので、カバー１を後板５にネジ２０で固定する。このようにして、キャビネット２が完成する。
【００２４】
（実施の形態２）
本実施形態では、図７に示すように、作業性を向上させるため、係止体３０の端面形状が丸みを帯びたことを特徴としており、この他のキャビネット２の構成は、第１実施形態と同様である。
【００２５】
係止体３０の形状の違いにより、カバー１の下折曲体１２を底板６の下面に沿わせて、カバー１をスライドさせた場合に、カバー１の爪１１と係止体３０が接触することによる抵抗を少なくすることができ、取付け作業が容易になるため、作業効率を向上させることができる。
【産業上の利用可能性】
【００２６】
以上のように、本発明にかかる高周波加熱装置は、カバー前面の垂直方向への移動を防止することができるとともに、前板のフランジの変形や挟みこみ不十分によって、カバーが前板に対して斜め取り付くことを防止でき、外観品質の高い高周波加熱装置を提供することができる。
【符号の説明】
【００２７】
１    カバー
２    キャビネット
３    加熱室
４    前板
５    後板
６    底板
７    上フランジ
８    下フランジ
９    横フランジ
１０  上フランジ挟み付け用の爪
１１  横フランジ挟み付け用の爪
１２  下折曲体
１３  上折曲体
１４  横折曲体
２０  ネジ
３０  係止体
【図１】
0005938548.tif 000002
【図２】
0005938548.tif 000003
【図３】
0005938548.tif 000004
【図４】
0005938548.tif 000005
【図５】
0005938548.tif 000006
【図６】
0005938548.tif 000007
【図７】
0005938548.tif 000008